(57)【要約】【課題】切断部を設けた防水パッキン材を貼着して用いることで切断部の折曲することにより、屋根材の施工が簡便でしかも防水性が増加し、踏み割れ強度の大なる防水パッキング材を用いた屋根部の収め構造を提供するものである。【解決手段】防水パッキング材は、防水パッキング板本体の表裏面に両面テープを貼着するとともに該表面側の両面テープから防水パッキング板本体の板厚の略中央までに至る傾斜する切断部を設けたことを特徴とするものである。【選択図】        図１
2004169379.tif 000002
【特許請求の範囲】
【請求項１】
防水パッキング板本体の表裏面に両面テープを貼着するとともに該表面側の両面テープから防水パッキング板本体の板厚の略中央までに至る傾斜する切断部を設けたことを特徴とする防水パッキング材。
【請求項２】
請求項１記載の防水パッキング材をケラバ部に用いた屋根部の収め構造において、野地板上に屋根下地材を敷設し、該屋根下地材上に重合敷設した屋根材の上に防水パッキング材裏面を貼着し、該屋根材の重合部に防水パッキング材の切断部が位置するように配設し、該防水パッキング材表面の切断部を背面側に折曲して膨出部を形成し、該膨出部をケラバカバーにより被装することを特徴とする防水パッキング材を用いた屋根部の収め構造。
【請求項３】
請求項１記載の防水パッキング材を谷部に用いた屋根部の収め構造において、谷状に形成した野地板上に屋根下地材を敷設し、該屋根下地材上に谷樋を敷設し、該谷樋上に相対向して防水パッキング材裏面を貼着するとともに該防水パッキング材表面の切断部を背面側に折曲して膨出部を形成し、該膨出部上に重合敷設する屋根材の裏面側の空隙部が位置するようにして屋根材を固着することを特徴とする防水パッキング材を用いた屋根部の収め構造。
【発明の詳細な説明】
【０００１】
【発明の属する技術分野】
本発明は、ケラバや谷部に用いられる切断部を設けた防水パッキング材及びこの防水パッキング材を用いた屋根部の収め構造に関するものである。
【０００２】
【従来の技術】
従来からパネル基体上に屋根材を敷設固定して屋根パネルユニットを形成し、この屋根パネルユニットの屋根材とパネル基体との間にケラバ部に相当する部分に柔軟な防水パッキン層を固着した屋根装置がある。
（例えば、特許文献１参照）
【０００３】
さらに、パネル本体の上面に瓦を葺設された屋根パネルを左右方向に接続する箇所に、少なくとも３条のパッキンを左右に間隔をおいて、上面に取着された水切り板をパネル本体の端部上面と瓦との間に挿入し、各々の瓦の端を略中央のパッキン上に載置して突き合わせるとともに各々の瓦の端部を略中央のパッキンの両側のパッキンの上に載置し、略中央のパッキンの両側において瓦と水切り板との間に空間を形成して成る屋根パネルの接続部の構造がある。
（例えば、特許文献２参照）
【０００４】
【特許文献１】
実開平０５−４２４４５号公報（第１−２頁、図１、図２、図３）
【０００５】
【特許文献２】
実開昭６３−１８７６３０号公報（第１−２頁、図１、図２）
【０００６】
このように、特許文献１及び２において、柔軟な防水パッキン層を固着して施工する技術は、開示されているが、防水パッキンに切断部を形成したものが開示されていない。
【０００７】
したがって、本願発明では、防水パッキン材に切断部を形成して、ケラバ部のケラバカバーと重合敷設する屋根材の空隙部とを防水パッキン材の切断部を背面側に折曲した折曲部で充填して閉塞性を増大させ、セメント系でできた屋根材の踏み割れ強度を大にするものである。さらに、屋根部の谷部においても、谷樋上の屋根材との空隙部を防水パッキン材の切断部の背面側に折曲した折曲部で充填することによって閉塞性を増大させて防水性と踏み割れ強度を大にしなければならなかった。
【０００８】
【発明が解決しようとする課題】
本発明は上記問題点の解決を目的とするものであり、切断部を設けた防水パッキン材を貼着して用いることで切断部の折曲することにより、屋根材の施工が簡便でしかも防水性が増加し、踏み割れ強度の大なる防水パッキング材を用いた屋根部の収め構造を提供するものである。
【０００９】
【課題を解決するための手段】
本発明の請求項１記載の防水パッキング材は、防水パッキング板本体の表裏面に両面テープを貼着するとともに該表面側の両面テープから防水パッキング板本体の板厚の略中央までに至る傾斜する切断部を設けたことを特徴とするものである。
【００１０】
したがって、切断部を折曲して折曲部が生じるようにすることにより簡単に防水パッキング材を施工することができるので、空隙部の閉塞性が増大し、防水性や踏み割れ強度を増大することができる。
【００１１】
本発明の請求項２記載の防水パッキング材を用いた屋根部の収め構造は、請求項１記載の防水パッキング材をケラバ部に用いた屋根部の収め構造において、野地板上に屋根下地材を敷設し、該屋根下地材上に重合敷設した屋根材の上に防水パッキング材裏面を貼着し、該屋根材の重合部に防水パッキング材の切断部が位置するように配設し、該防水パッキング材表面の切断部を背面側に折曲して膨出部を形成し、該膨出部をケラバカバーにより被装することを特徴とするものである。
【００１２】
したがって、屋根材の重合部に防水パッキング材の切断部が位置するように配設し、この防水パッキング材表面の切断部を背面側に折曲して膨出部を形成し、この膨出部をケラバカバーにより被装するので、簡単に防水パッキング材の膨出部をケラバカバーで閉塞することが可能となり、防水性や踏み割れ強度を向上することができる。
【００１３】
本発明の請求項３記載の防水パッキング材を用いた屋根部の収め構造は、請求項１記載の防水パッキング材を谷部に用いた屋根部の収め構造において、谷状に形成した野地板上に屋根下地材を敷設し、該屋根下地材上に谷樋を敷設し、該谷樋上に相対向して防水パッキング材の裏面を貼着するとともに該防水パッキング材表面の切断部を背面側に折曲して膨出部を形成し、該膨出部上に重合敷設する屋根材の裏面側の空隙部が位置するようにして屋根材を固着することを特徴とする。
【００１４】
したがって、谷樋上に相対向して防水パッキング材の裏面を貼着するとともにこの防水パッキング材表面の切断部を背面側に折曲して膨出部を形成し、この膨出部上に重合敷設する屋根材の空隙部が位置するようにして防水性や踏み割れ強度を向上することができる。
【００１５】
【発明の実施の形態】
図１及び図２に示したように、本発明の実施形態に係わる防水パッキング材及び図３乃至図６の防水パッキング材を用いた屋根部の収め構造であって、以下に説明する。
【００１６】
図１及び図２に示したように、本発明の防水パッキング材Ａは、ロール状に巻回可能な防水パッキング板本体１の表裏面２，３に両面テープ４ａ、４ｂを貼着するとともにこの表面側２の両面テープ４ａから防水パッキング板本体１の板厚の略中央までに至る傾斜する切断部５を設けたものである。
【００１７】
この切断部５を折曲して簡単に膨出部６が形成でき、この膨出部６に屋根材７を重合する際に生ずる空隙部８に防水パッキング材Ａを充填施工することができるので、閉塞性が増大し、防水性や踏み割れ強度を増大することができる。
【００１８】
図３及び図４は、防水パッキング材Ａをケラバ部９に用いた屋根部の収め構造において、野地板１０の上に屋根下地材１１を敷設し、この屋根下地材１１の上に重合敷設した屋根材７の上に防水パッキング材Ａの裏面の両面テープ４ｂの接触側を剥離して貼着し、この屋根材７の重合部１２に防水パッキング材Ａの切断部５が位置するように配設し、この防水パッキング材Ａの表面の切断部５を背面側に折曲して膨出部６を形成し、この膨出部６をケラバカバー１３により被装するようにしたものである。
【００１９】
ここで、屋根材７の重合部１２に防水パッキング材Ａの切断部５により形成される膨出部６をケラバカバー１３により被装するので、この膨出部６をケラバカバー１３で閉塞することが可能である。
【００２０】
図５及び図６は、防水パッキング材Ａを谷部１４に用いた屋根部の収め構造において、谷状に形成した野地板１０の上に屋根下地材１１を敷設し、この屋根下地材１１の上に谷樋１５を敷設し、この谷樋１５の上に相対向して防水パッキング材Ａの裏面の両面テープ４ｂの接触側を剥離して貼着するとともにこの防水パッキング材Ａの表面の切断部５を背面側に折曲して膨出部６を形成し、この膨出部６の上に重合敷設する屋根材７の裏面側の空隙部８が位置するようにして屋根材７を固着したものである。
【００２１】
ここで、谷樋１５の上に相対向して防水パッキング材Ａの裏面を貼着するとともにこの防水パッキング材Ａの表面の切断部５を背面側に折曲して膨出部６を形成し、この膨出部６の上に重合敷設する屋根材７の空隙部８が位置するようにして防水性や踏み割れ強度を向上することができる。
【００２２】
以下、本発明の一実施例に係わる防水パッキング材及びこの防水パッキング材を用いた屋根部の収め構造について、図１乃至図６に基づいて詳述する。
【００２３】
図１及び図２において、防水パッキング材Ａは、ロール状に巻回可能なブチルゴムやスチレンブタジエンラバー（ＳＢＲ）等でできた防水パッキング板本体１の表裏面２，３にゴム系や酢酸ビニール系の両面テープ４ａ、４ｂを貼着する。そして、この防水パッキング板本体１の表面側２には、両面テープ４ａから防水パッキング板本体１の板厚の略中央までに至る傾斜してカッターで切断した切断部５が設けられている。
【００２４】
この防水パッキング材Ａの切断部５は、長さ５０ｍｍ程度、角度が２０〜３０度に傾斜して切断された切断面からなる切断部５を切断傾斜面と反対方向に折曲して簡単に膨出部６を形成することができる。この膨出部６によって、屋根材７を重合する際にこの屋根材７の背面側又は表面側に生ずる空隙部８を充填施工することができるので、閉塞性が増大し、防水性や踏み割れ強度を増大させることができる。尚、切断部５の傾斜角度や長さは、適宜設定すれば良いものであって、要するに膨出部６が生じるように形成すれば良いものである。
【００２５】
図３及び図４は、防水パッキング材Ａをケラバ部９に用いた屋根部の収め構造において、合板等でできた野地板１０の上に防水シート等の屋根下地材１１を敷設する。このケラバ部９の屋根下地材１１の上にのぼり木１６を釘１７で上方から固着し、こののぼり木１６の側面に重合敷設した屋根材７の上に防水パッキング材Ａの裏面の両面テープ４ｂの接触側を剥離して貼着し、この屋根材７の重合部１２に防水パッキング材Ａの切断部５が位置するように配設し、この防水パッキング材Ａの表面の切断部５を背面側に折曲して膨出部６を形成する。そして、この膨出部６を金属板を断面略Ｌ字状に形成したケラバカバー１３の水平片１８により被装するようにしたものである。
【００２６】
このように、屋根材７の重合部１２に防水パッキング材Ａの切断部５により形成される膨出部６をケラバカバー１３により被装するので、この膨出部６をケラバカバー１３で閉塞する。そのために、ケラバカバー１３の水平片１８の裏面側とパッキング材Ａの折曲して形成した膨出部６によって密閉され、隙間を生じることもない。したがって、ケラバ部９の防水性や踏み割れ強度を増大することができる。
【００２７】
図５及び図６は、防水パッキング材Ａを谷部１４に用いた屋根部の収め構造において、谷状に形成した野地板１０の上に屋根下地材１１を敷設し、この屋根下地材１１の上に谷樋１５を敷設し、この谷樋１５の上に相対向して防水パッキング材Ａの裏面の両面テープ４ｂの接触側を剥離して貼着するとともにこの防水パッキング材Ａの表面の切断部５を背面側に折曲して膨出部６を形成し、この膨出部６の上に重合敷設する屋根材７の裏面側の空隙部８が位置するようにして屋根材７を固着したものである。
【００２８】
ここで、谷樋１５の上に相対向して防水パッキング材Ａの裏面を貼着するとともにこの防水パッキング材Ａの表面の切断部５を背面側に折曲して膨出部６を形成し、この膨出部６の上に重合敷設する屋根材７の空隙部８が位置するようにして防水性や踏み割れ強度を向上することができる。
【００２９】
以下、本発明の一実施例に係わる防水パッキング材及びこの防水パッキング材を用いた屋根部の収め構造について、図１乃至図６に基づいて詳述する。
【００３０】
図１及び図２において、防水パッキング材Ａは、ロール状に巻回可能なブチルゴムやスチレンブタジエンラバー（ＳＢＲ）等でできた防水パッキング板本体１の表裏面２，３にゴム系や酢酸ビニール系の両面テープ４ａ、４ｂを貼着する。そして、この防水パッキング板本体１の表面側２には、両面テープ４ａから防水パッキング板本体１の板厚の略中央までに至る傾斜してカッターで切断した切断部５が設けられている。
【００３１】
この防水パッキング材Ａの切断部５は、長さ５０ｍｍ程度、角度が２０〜３０度に傾斜して切断された切断面からなる切断部５を切断傾斜面と反対方向に折曲して簡単に膨出部６を形成することができる。この膨出部６によって、屋根材７を重合する際にこの屋根材７の背面側又は表面側に生ずる空隙部８を充填施工することができるので、閉塞性が増大し、防水性や踏み割れ強度を増大させることができる。尚、切断部５の傾斜角度や長さは、適宜設定すれば良いものであって、要するに膨出部６が生じるように形成すれば良いものである。
【００３２】
図３及び図４は、防水パッキング材Ａをケラバ部９に用いた屋根部の収め構造において、合板等でできた野地板１０の上に防水シート等の屋根下地材１１を敷設する。このケラバ部９の屋根下地材１１の上にのぼり木１６を釘１７で上方から固着し、こののぼり木１６の側面に重合敷設した屋根材７の上に防水パッキング材Ａの裏面の両面テープ４ｂの接触側を剥離して貼着し、この屋根材７の重合部１２に防水パッキング材Ａの切断部５が図４（ａ）のように切断部５を上方に持ち上げ、（ｂ）のように傾斜切断面の背面側に折曲し、（ｃ）のようにケラバカバー１３の水平片１８により被装するようにした流れのように位置して配設する。このとき、防水パッキング材Ａの表面の切断部５を背面側に折曲して膨出部６を形成し、この膨出部６を金属板を断面略Ｌ字状に形成したケラバカバー１３の水平片１８により被装するようにしたものである。
【００３３】
このように、屋根材７の重合部１２に防水パッキング材Ａの切断部５により形成される膨出部６をケラバカバー１３により被装するので、この膨出部６をケラバカバー１３で閉塞する。そのために、ケラバカバー１３の水平片１８の裏面側とパッキング材Ａの折曲して形成した膨出部６によって密閉され、隙間を生じることもない。したがって、ケラバ部９の防水性や踏み割れ強度を増大することができる。
【００３４】
図５及び図６に示したように、防水パッキング材Ａを谷部１４に用いた屋根部の収め構造において、谷状に形成した合板等でできた野地板１０の上に防水シート等の屋根下地材１１を敷設する。この谷部１４の屋根下地材１１の上に谷樋１５を敷設し、この谷樋１５の上に相対向して防水パッキング材Ａの裏面の両面テープ４ｂの接触側を剥離して貼着する。さらに、図６（ａ）、（ｂ）のように、この防水パッキング材Ａの表面の切断部５を背面側に折曲して膨出部６を形成し、（ｃ）のように膨出部６の上に重合敷設する屋根材７の裏面側の空隙部８が位置するようにして屋根材７を固着したものである。
【００３５】
ここで、谷樋１５の上に相対向して防水パッキング材Ａの裏面を貼着し、さらに防水パッキング材Ａの表面の切断部５を背面側に折曲して膨出部６を形成し、この膨出部６の上に重合敷設する屋根材７の空隙部８が位置するようにしているので、屋根材７の空隙部８が膨出部６によって充填され防水性や踏み割れ強度を向上することができる。
【００３６】
【発明の効果】
上述の如く、本発明の請求項１記載の防水パッキング材は、防水パッキング板本体の表裏面に両面テープを貼着するとともにこの表面側の両面テープから防水パッキング板本体の板厚の略中央までに至る傾斜する切断部を設けているので、切断部を折曲して折曲部が生じるようにすることにより簡単に防水パッキング材を施工することができ、空隙部の閉塞性が増大し、防水性や踏み割れ強度を増大することができる。
【００３７】
本発明の請求項２記載の防水パッキング材をケラバ部に用いた屋根部の収め構造において、野地板上に屋根下地材を敷設し、この屋根下地材上に重合敷設した屋根材の上に防水パッキング材裏面を貼着し、この屋根材の重合部に防水パッキング材の切断部が位置するように配設し、この防水パッキング材表面の切断部を背面側に折曲して膨出部を形成し、この膨出部をケラバカバーにより被装しているので、屋根材の重合部に防水パッキング材の切断部が位置するように配設され、この防水パッキング材表面の切断部を背面側に折曲して膨出部を形成し、この膨出部をケラバカバーにより被装するので、簡単に防水パッキング材の膨出部をケラバカバーで閉塞することが可能となり、防水性や踏み割れ強度を向上することができる。
【００３８】
本発明の請求項３記載の防水パッキング材を谷部に用いた屋根部の収め構造において、谷状に形成した野地板上に屋根下地材を敷設し、この屋根下地材上に谷樋を敷設し、この谷樋上に相対向して防水パッキング材の裏面を貼着するとともにこの防水パッキング材表面の切断部を背面側に折曲して膨出部を形成し、この膨出部上に重合敷設する屋根材の裏面側の空隙部が位置するようにして屋根材を固着しているので、谷樋上に相対向して防水パッキング材の裏面を貼着するとともにこの防水パッキング材表面の切断部を背面側に折曲して膨出部を形成し、この膨出部上に重合敷設する屋根材の空隙部が位置するようにして防水性や踏み割れ強度を向上することができる。
【図面の簡単な説明】
【図１】本発明の一実施例に係わる防水パッキング材を示す巻回した状態の斜視図である。
【図２】（ａ）は、本発明の一実施例に係わる防水パッキング材の長手方向の縦断面図、（ｂ）は、（ａ）の切断部を背面側に折曲して膨出部を形成した状態を示す縦断面図である。
【図３】本発明の一実施例に係わる防水パッキング材をケラバ部に用いた屋根部の収め構造の縦断面図である。
【図４】本発明の上記実施例に係わる防水パッキング材の取付け状態の流れを示す要部の縦断面図であり、（ａ）は、切断部を上方に持ち上げ、（ｂ）のように傾斜切断面の背面側に折曲し、（ｃ）のようにケラバカバーの水平片により被装するようにした状態を示す概略の縦断面図である。
【図５】本発明の異なる実施例に係わる谷部に用いた屋根部の収め構造を示す概略の縦断面図である。
【図６】本発明の異なる実施例に係わる防水パッキング材の取付け状態の流れを示す要部の縦断面図であり、（ａ）は、切断部を上方に持ち上げ、（ｂ）のように傾斜切断面の背面側に折曲して膨出部を形成し、（ｃ）のように屋根材の裏面側の空隙部が位置するよう取付けた状態の概略の縦断面図である。
【符号の説明】
Ａ      防水パッキング材
１      防水パッキング板本体
２      表面
３      裏面
４      両面テープ
５      切断部
６      膨出部
７      屋根材
８      空隙部
９      ケラバ部
１０    野地板
１１    屋根下地材
１２    重合部
１３    ケラバカバー
１４    谷部
１５    谷樋
１６    のぼり木
１７    釘
１８    水平片
【図１】
2004169379.tif 000003
【図２】
2004169379.tif 000004
【図３】
2004169379.tif 000005
【図４】
2004169379.tif 000006
【図５】
2004169379.tif 000007
【図６】
2004169379.tif 000008